(57)【要約】【課題】従来の一般住宅に使用されているドアには、床や幅木に突起した戸当りが設けられているが、周辺掃除の際の邪魔になったり、躓いて怪我をする事もあり、またドア留めの掛け金具も床や幅木に設けられ低い所に位置する為に腰を屈めて使用操作するなどその使い勝手が悪く不便で安全上にも問題点がある。【解決手段】軸１の軸躯幹２に雄螺旋３と、羽６の管８に雌螺旋１２を成形し、該軸１を一方の羽７の管９に締め付け固定する軸固定ビス１３を設けて不要蝶番を構成し、従来の戸当りとドア留め掛け金具を不要にした戸当り不要蝶番をドアに用いる。【選択図】  図１
2004257153.tif 000002
【特許請求の範囲】
【請求項１】
軸躯幹に雄螺旋と、管の一方或いは両方に雌螺旋を成形し、片一方の管に軸を固定及び固定解除可能にする固定ビス若しくは嵌合凹凸を設け、該軸を回動して羽の開き角度を任意に設定し、ドアを最大開きにすると開き停止と共に一時固定し、通常の出入り開き角度においてはドアの自重によって自動閉戸になり、別途の戸当りやドア留め金具或いは戻しバネを必要としない事を特徴として構成した戸当り不要蝶番、またはドアの９０度開きで引っ張り合って止まる引っ張り具を両羽間に設けて構成し、別途の戸当りを不要にした事を特徴とする戸当り不要蝶番、並びに当該戸当り不要蝶番を用いたドア。
【発明の詳細な説明】
【０００１】
【発明の属する技術分野】
本発明は、軸を回して蝶番の開き許容角度を簡単に設定調整でき、その許容範囲内の最大開き角度で開きが停止して同時に連鎖的に一時固定され、別に戸当りやドア留め金具を設ける必要のない機能を併せ持つ戸当り不要蝶番に関する。
【０００２】
【従来の技術】
一般住宅のドアにおいてはその最大開きにおける壁への当接を防止する戸当りが床面や幅木、或いはドアに突起して取り付けられ、またその開放最大角度で放開ドアを留める金具が付帯して設けられている。
【０００３】
【発明が解決しようとする課題】
従来、床面や幅木に突起して取り付けられているドア開放の戸当りは周辺掃除の邪魔になったり、思わず躓いて怪我をするなど危険な要因にもなっている。
また戸当りに付帯して設けられたドア留め金具はドア側にも相手金具を取り付ける必要があり、それらが床面に近い極低い所に位置し、その留め掛けや外しにおいては腰を屈める姿勢で使用操作するので時には腰を痛める事もあり、その使い勝手に問題点がある。
【０００４】
これまでは、ドアの設備に関して蝶番の他に放開戸当りや留め金具を備える必要があってその分費用も余分にかかっていた。
【０００５】
本発明は、従来の突起する戸当りや留め金具を別に必要とせず、それらを省いて両機能を蝶番本体に持たせ、結果的には費用の節約に繋がる戸当り不要蝶番と、当該戸当り不要蝶番付ドアを提供する事を目的としたものである。
【０００６】
【課題を解決するための手段】
本発明は、上記の目的を達成する為に、軸１の軸躯幹２に雄螺旋３と、羽６の管８若しくは管９に雌螺旋１２を成形し、該軸１を一方の羽７の該管９に締め付け固定するビス１３若しくは該管９と該軸１に凹凸を設け、該軸１を嵌合固定して機能させる戸当り不要蝶番を構成、または該羽６と該羽７の表面を結び、開き９０度で引っ張り合ってその開きを止める引っ張り１４を該両羽間に設けて戸当り不要蝶番を構成してドアに用いる。
【０００７】
【発明の実施の形態】
発明の実施の形態を実施例にもとづき図面を参照して説明する。
図１、図２において、１は軸である。軸１は軸頭４と雄螺旋３を成形した軸躯幹２の一体で成り、三管以上で構成される蝶番に用い、羽６の管８の雌螺旋１２に螺旋嵌合し、羽７の管９に素通しして該軸１を介し、該羽６と該羽７と共に一体にして戸当り不要蝶番を構成する。
【０００８】
図５、図６において、１ａは軸である。軸１ａは軸頭４ａと雄螺旋３ａを成形した軸躯幹２ａの一体で成り、二管で構成される蝶番に用い、羽６ａの管８ａの雌螺旋１２ａに螺旋嵌合し、羽７ａの管９ａに素通しして該軸１ａを介し、該羽６ａと該羽７ａと共に一体にして戸当り不要蝶番を構成する。
該軸１ａの上部中心に雌ネジと、軸躯体２ａの中央に鍔を設ける。
【０００９】
図１、図２において、２は軸躯体である。軸躯体２は上部に軸頭５と雄螺旋３を成形し、羽７の管に螺旋嵌合して該軸躯体２を回して蝶番の開き許容角度を設定調整する。
【００１０】
図５、図６において、２ａは軸躯体である。軸躯体２ａは上部中心に雌ネジと躯体中央に鍔１４を設け、該鍔１４を境にしてその上半躯体に雄螺旋３ａを成形し、羽７ａの管８ａに螺旋嵌合して該軸躯体２ａを回して蝶番の開き許容角度を設定調整する。
【００１１】
図１、図２において、３は雄螺旋である。雄螺旋３は蝶番の最上管の位置する部分以外の軸躯体２全体に成形、若しくは管８の位置する部分に成形し該管８の雌螺旋１２に螺旋嵌合して該雄螺旋３と該雌螺旋１２の嵌合上昇で上下管同士が突き当たり、蝶番の開き停止と共に連鎖して一時停止固定を成す。
【００１２】
図５、図６において、３ａは雄螺旋である。雄螺旋３ａは蝶番の下側管の位置する部分以外の軸躯体２ａの上半躯体に成形し、管８ａの雌螺旋１２ａに螺旋嵌合して該雄螺旋３ａと該雌螺旋１２ａの嵌合による回動上昇で軸頭４ａに当接して蝶番の開き停止と一時停止固定を成す。
因みに二管蝶番においては、内側部に該雌螺旋１２ａを成形したコアを管に挿入して設け、軸１ａと共回いさせて任意な開き角度に設定した後、該管に締め付け固定する構造にしてもよい。
【００１３】
図１、図２と図７から図９において、４は軸頭である。軸頭４は上面部中央に角穴５若しくは角頭を設け、角レンチを用いて回し、軸躯体２に成形した雄螺旋３で蝶番の開き角度を設定調整する。
因みに該軸頭４をボルトの角頭形状にしてもよい。
【００１４】
図５、図６において、４ａは軸頭である。軸頭４ａは下部に雄ネジ躯体と上面部中央に角穴５ａを持ち、軸躯体１ａ上部の雌ネジにねじ込み固着させ、角レンチを用いて該軸頭４ａを回し、該軸躯体１ａの雄螺旋３ａによって蝶番の開き角度を設定調整し羽６ａの開きによって上昇する管８ａの管縁１０ａが該軸頭４ａに当接して定位置角度での開き停止と一時停止固定を為す。
【００１５】
図１、図２と図６から図９において、５は角穴である。角穴５は軸頭４の上面中央に設け、角レンチを用いて軸躯体２を回す。
【００１６】
図５、図６において、５ａは角穴である。角穴５ａは軸頭４ａの上面中央に設け、角レンチを用いて軸躯体２ａを回す。
【００１７】
図１から図４と図７から図９において、６は羽である。羽６はドアに固着して開閉を為し、一体の管８に雌螺旋１２を成形する。
【００１８】
図５、図６において、６ａは羽である。羽６ａはドアに固着して開閉を為し、一体の管８ａに雌螺旋１２ａを成形する。
【００１９】
図１から図４と図６から図９において、７は羽である。羽７はドア枠に固着して羽６を開閉し、一体最上段の管９に軸１を締め付け固定する軸固定ビス１３を設ける。
因みに本発明の戸当り不要蝶番においては、管８、９以外の該羽６、７の部分が枠やドアからはみ出ない状態に取り付け用いるのが望ましい。
【００２０】
図５、図６において、７ａは羽である。羽７ａはドア枠に固着して羽６ａを開閉し、一体最上段の管９ａに軸１ａを締め付け固定する軸固定ビス１３ａを設ける。
因みに、管８ａ、９ａ以外の該羽６ａ、７ａの部分が枠やドアからはみ出ない状態に取り付け用いるのが望ましい。
【００２１】
図１から図４において、８は管である。管８は内部に雌螺旋１２を成形し、羽６の開き時に軸躯幹２の雄螺旋３に沿って上昇し、管縁１０と管９の管縁１１が突き当たってドアの開きを停め更に押し開くと、開き９０度でドアが一時固定される。
因みに羽６と一体で成形する該管８及び羽７と一体で成形する管９は、図６で示すように、管の形状を外巻き（巻いた巻末が外側になる）に成形するのが望ましく、蝶番が開く際に軸躯幹２に巻き付く方向になるのでドア停めの管強度が得られ、ドアに煽りが生じない。
また該管８、９の管末を溶着して完全な管状にするのが望ましく、ドアの開き停止や閉じ停止に対する更なる管強度が得られる。
【００２２】
図５、図６において、８ａは管である。管８ａは内部に雌螺旋１２ａを成形し、羽６ａの開き時に軸躯幹２ａの雄螺旋３ａに沿って上昇し、管縁１０ａが軸頭４ａに当接してドアの開きを停め、更に押し開くと、開き９０度でドアが一時固定される。
因みに羽６ａと一体で成形する該管８ａ及び羽７ａと一体で成形する管９ａは、外巻き（巻いた巻末が外側になる）に成形するのが望ましく、蝶番が開く際に軸躯幹２ａに巻き付く方向になるのでドア停めの管強度が得られ、ドアに煽りが生じない。
また該管８ａ、９ａの管末を溶着して完全な管状にするとドアの開き停止や閉じ停止に対する更なる管強度が得られる。
【００２３】
図１から図４において、９は管である。管９は軸躯幹２を素通しする様に成形し、最上の管９に軸固定ビス１３を設け、蝶番の開き角度を設定調整した後、該軸１を締め付け固定する。
【００２４】
図５、図６において、９ａは管である。管９ａは軸躯幹２ａの下半躯幹を素通しする様に成形し、該管９ａに軸固定ビス１３ａを設け、蝶番の開き角度を設定調整した後、該軸１ａを締め付け固定する。
【００２５】
図３、図４において、１０は管縁である。管縁１０は蝶番の開きで管８が上昇して管縁１１に突き当たりドアの開きが停止する。
因みに管縁１０と管縁１１の間に薄い鋼板のワッシャーを用いると、管縁同士が直接捩じり合わず、該管縁１０と該管縁１１の摩耗を防ぐと共にドアの開き定位置停止機能を向上させる。
【００２６】
図５、図６において、１０ａは管縁である。管縁１０ａは蝶番の開きで管８ａが上昇して管縁１１ａに突き当たりドアの開きが停止する。
因みに管縁１０ａと管縁１１ａの間に軸躯体１ａ中央に在る鍔が位置する。
【００２７】
図３、図４において、１１は管縁である。管縁１１は管縁１０と相対して該管縁１０の上昇を受止め、ドアを開き９０度で停め一時停止固定させる。
【００２８】
図５において、１１ａは管縁である。管縁１１ａは管縁１０ａと相対して下側に位置し管８ａを支える。
【００２９】
図１、図３において、１２は雌螺旋である。雌螺旋１２は羽６の管８の内部に成形され、羽７の最上管９に締め付け固定される軸躯体２に成形された雄螺旋３と嵌合し、該羽６の開閉によって該管８を上下させ、該雄螺旋３と共にドア開きの停止や一時固定留め及び自動的な閉戸の基を為す。
因みに開戸においては，雌螺旋１２を設けた管８が上昇して上側の管９に当たり開き停止し、閉戸においては該管８が下降して下側の該管９に当って閉じ停止するので、従ってドア開閉両方の戸当りを省く事もでき、またドアが多少強めに開閉されても完全開戸と完全閉戸の寸前には衝撃を戸当り不要蝶番が吸収する。
【００３０】
図５において、１２ａは雌螺旋である。雌螺旋１２ａは管８ａの内部に成形され、羽７ａの管９ａに締め付け固定される軸躯体２ａに成形された雄螺旋３ａに嵌合し、該羽６ａの開閉によって該管８ａを上下させ，該雄螺旋３ａと共にドア開き９０度での停止や一時固定留め及び自動的な閉戸の基を為す。
因みに二管蝶番においては、開き時に上昇する管が上部軸頭の下側に突き当たって開きを停止させる。
【００３１】
図１、図２において、１３は軸固定ビスである。軸固定ビス１３は羽７の最上段の管９に設け、軸１を該管９に締め付け固定、または緩めて該軸１の回動を可能にし、戸当り不要蝶番の開き許容角度を設定調整する。
因みに該軸固定ビス１３は該羽７の他の管に設けてもよい。
【００３２】
図５、図６において、１３ａは軸固定ビスである。軸固定ビス１３ａは羽７ａの管９ａに設け、軸１ａを該管９ａに締め付け固定、または緩めて該軸１ａの回動を可能にし、二管構成する戸当り不要蝶番の開き許容角度を設定調整する。
【００３３】
図７から図９において、１４は引っ張り具である。引っ張り具１４は羽６と羽７の面に結んで９０度開きで両羽の面を引っ張り合って開きを止め、羽を閉じると該両羽間に納まる。
【００３４】
【発明の効果】
本発明は、以上説明したように構成されているので、以下に記載するような効果を奏する。
【００３５】
従来から住宅の間仕切に使用されるドアには、その開きにおいて壁への当りを避ける戸当りが床や幅木に突起して設けられ、また戸当りと共にドアを留める留め金具も併設されているが、その戸当りや留め金具は床や幅木に取り付けられるために、その周辺の掃除や日常にも邪魔になったり躓いて怪我をしたり、また留め金具の使用においても腰を屈めるなり姿勢を低くして掛け留めるので腰に負担がかかりその使い勝手にも問題があったが、本発明の戸当り不要蝶番は戸当りや留め金具の機能を併せ持ち、ドアを開けるだけで停止及び一時停止固定を為すので至極便利で使い勝手がよく、これまでとは違い戸当りや留め金具の突起物が生じないので安全であり、またそれらの物を必要とせず戸当り不要蝶番だけで事足りるので至極経済的である。
【００３６】
本発明の戸当り不要蝶番には、軸とドア側羽の管に嵌合螺旋を形成しているので、ドアを押して入りそのドアから手を離すと僅かに上昇したドアが自重で嵌合螺旋に沿って下がり、自動的に閉戸するのでバリアフリーにも繋がる。
【００３７】
本発明の戸当り不要蝶番は角レンチを用い、軸を回してドアを任意な開き角度に設定調整出来るので使用上においても至極便利である。
従って、将来戸当り不要蝶番の開閉具合に緩みが生じても簡単に再調整できるので将来に渡って変わらぬ機能が維持でき、常に最良の状態で使用する事ができる。
【図面の簡単な説明】
【図１】戸当り不要蝶番の９０度開きの展開図（一部透視図）である。
【図２】戸当り不要蝶番の９０度開きの組み立て図（一部透視図）である。
【図３】羽、管の平面図である。
【図４】羽、管の上面図である。
【図５】他の二管構成戸当り不要蝶番の展開図（一部透視図）である。
【図６】図５で示す戸当り不要蝶番の９０度開きの組立図である。
【図７】他の一実施例を示す９０度開きの斜視図である。
【図８】図７で示す実施例の上面図である。
【図９】図８で示す実施例の閉じた状態の上面図である。
【符号の説明】
１、１ａ  軸
２、２ａ  軸躯幹
３、３ａ  雄螺旋
４、４ａ  軸頭
５、５ａ  角穴
６、７、６ａ、７ａ  羽
８、９、８ａ、９ａ  管
１０、１１、１０ａ、１１ａ  管縁
１２、１２ａ  雌螺旋
１３、１３ａ  軸固定ビス
１４  引っ張り具
【図１】
2004257153.tif 000003
【図２】
2004257153.tif 000004
【図３】
2004257153.tif 000005
【図４】
2004257153.tif 000006
【図５】
2004257153.tif 000007
【図６】
2004257153.tif 000008
【図７】
2004257153.tif 000009
【図８】
2004257153.tif 000010
【図９】
2004257153.tif 000011